(57)【要約】　　　（修正有）【課題】血液製剤としての赤血球の量（重量）を測定でき、血液製剤として過不足であるか否かを容易に判明することができる液体分離装置及びその分離方法の提供。【解決手段】第１の容器２の液体重量、液体を検出・表示しながら、予め入力されているプログラムに基づき容器加圧部及び開閉部を操作しながら、液体取出管１１が設けられ柔軟性を有するとともに、上方の層と下方の層に予め分離された液体を収容した第１の容器を第１容器保持部２１に液体取出管が上方に位置して保持した状態で容器加圧部により第１の容器を加圧し、容器内の上方の層の液体を液体取出管を介して第２容器保持部２３Ａ、２３Ｂ，２３Ｃに保持された柔軟性を有する第２の容器２ｂ、２ｃ、２ｄに押し出すことにより液体分離を自動的に行ない、チューブの自動シールも可能にした液体分離装置２０。【選択図】　図１
2004000503.tif 000002
【特許請求の範囲】
【請求項１】
液体取出管が設けられ柔軟性を有するとともに、上方の層と下方の層に予め分離された液体を収容した第１の容器を保持しうる第１容器保持部と、
該第１容器保持部に前記液体取出管が上方に位置して保持された前記第１の容器を加圧して前記容器内の上方の層の液体を前記液体取出管を介して押し出す容器加圧部と、
該容器加圧部により前記容器の液体取出管から押し出された液体が通路を介して収容されうる柔軟性を有する第２の容器を保持しうる第２容器保持部と、
前記通路を開閉する開閉部と、
前記第１の容器内の分離された液体の界面を検出する界面検出部と、
前記第１の容器に収容される液体重量を測定する第１の液体重量測定部と
前記第２の容器に収容される液体重量を測定する第２の液体重量測定部と、
該界面検出部によって検出された検出信号、該第１の液体重量測定部、該第２の液体重量測定部によって測定された測定信号、及び予め入力されているプログラムに基づき前記容器加圧部及び開閉部を操作する操作信号を演算出力する演算制御部とを備え、
該演算制御部により出力された操作信号によって容器加圧部及び開閉部を操作して、液体分離を自動的に行なうようにしたことを特徴とする液体分離装置。
【請求項２】
前記第１の容器に対する界面設定位置を設定するための界面設定部、
及び前記第２の容器の風袋重量及び第２容器に収容すべき設定液体重量を設定するための液体重量設定部、
設定された界面設定位置、風袋重量及び設定液体重量を記憶し、この記憶データを書換え読出しできるとともに不揮発性の記憶部とをさらに備え、
前記演算制御部は、上記記憶部が記憶している界面設定位置及び設定液体重量のデータと、前記界面検出部の検出結果と、前記液体重量測定部の測定結果とに基づき、該界面検出部の検出界面が界面設定位置に達したこと及び／又は該液体重量測定部の測定結果が設定液体重量に達したことを認識して、前記開閉部を閉止させる請求項１記載の液体分離装置。
【請求項３】
前記第１の容器に対する界面設定位置を設定するための界面設定部により記憶された記憶データ、前記第１の容器に収容すべき第１の設定液体重量を設定するための第１の液体重量設定部により記憶され記憶データ、前記第２の容器に収容すべき第２の設定液体重量を設定するための第２の液体重量設定部により記憶された記憶データ及び該第１及び第２の設定液体重量を記憶し、これらの記憶データを書換え読出しできるとともに不揮発性の記憶部とをさらに備え、
前記界面検出部は、その界面検出位置を前記第１の容器に対する特定位置に調整できる機能を備えており、
前記演算制御部は、上記界面設定部の設定結果を得て、該界面検出部の界面検出位置を上記界面設定位置に定め、その後、該界面検出部の検出結果と、前記液体重量測定部の測定結果と、上記記憶部が記憶している前記第１及び第２の設定液体重量のデータとを得て、第１の容器内の界面が界面設定位置に達し、及び／又は該第１の液体重量測定部の測定結果が前記第１の設定液体重量に達したことを認識して、前記開閉部を閉止させる請求項１記載の液体分離装置。
【請求項４】
前記界面設定部にて設定された界面設定位置を記憶し、この記憶データを書換え読出しできるとともに不揮発性の記憶部を更に備え、前記演算制御部は、上記記憶部が記憶している界面設定位置のデータを得て該界面検出部の界面検出位置を上記界面設定位置に定める請求項２記載の液体分離装置。
【請求項５】
液体取出管が設けられ柔軟性を有するとともに、上方の層と下方の層に予め分離された液体を収容した第１の容器を保持しうる第１容器保持部と、
該第１容器保持部に前記液体取出管が上方に位置して保持された前記第１の容器を加圧して前記容器内の上方の層の液体を前記液体取出管を介して押し出す容器加圧部と、
該容器加圧部により前記容器の液体取出管から押し出された液体が通路を介して収容されうる柔軟性を有する第２の容器を保持しうる第２容器保持部と、
前記通路を開閉する開閉部と、
前記第１の容器内の分離された液体の界面を検出する界面検出部と、
前記第１の容器に収容される液体重量を測定する第１の液体重量測定部と
前記第２の容器に収容される液体重量を測定する第２の液体重量測定部と、
該界面検出部によって検出された検出信号、該第１の液体重量測定部、該第２の液体重量測定部によって測定された測定信号、及び予め入力されているプログラムに基づき前記容器加圧部及び開閉部を操作する操作信号を演算出力する演算制御部と、
チューブシール部とを備え、
該演算制御部により出力された操作信号によって容器加圧部及び開閉部を操作して、液体分離を自動的に行ない、
自動分離後は、初期設定としてシール設定が入力されていることを条件に該チューブシール部により自動的にチューブをシールするようにしたことを特徴とする液体分離装置。
【請求項６】
音声発生部及び／又はアラーム発生部を備え、全ての処理が完了した後、音声発生及び／又はアラーム発生により報知するようにしたことを特徴とする請求項１ないし５のいずれかに記載の液体分離装置。
【請求項７】
第１の容器内の分離された液体の界面を検出する界面検出部によって検出された検出信号、前記第１の容器に収容される液体重量を測定する第１の液体重量測定部によって測定された測定信号、第２の容器に収容される液体重量を測定する第２の液体重量測定部によって測定された測定信号、及び予め入力されているプログラムに基づき容器加圧部及び開閉部を操作しながら、
液体取出管が設けられ柔軟性を有するとともに、上方の層と下方の層に予め分離された液体を収容した第１の容器を第１容器保持部に前記液体取出管が上方に位置して保持した状態で容器加圧部により前記第１の容器を加圧し、前記容器内の上方の層の液体を前記液体取出管を介して第２容器保持部に保持された柔軟性を有する第２の容器に押し出すことにより液体分離を自動的に行なうようにしたことを特徴とする液体分離方法。
【請求項８】
第１の容器内の分離された液体の界面を検出する界面検出部によって検出された検出信号、前記第１の容器に収容される液体重量を測定する第１の液体重量測定部によって測定された測定信号、第２の容器に収容される液体重量を測定する第２の液体重量測定部によって測定された測定信号、及び予め入力されているプログラムに基づき容器加圧部及び開閉部を操作しながら、
液体取出管が設けられ柔軟性を有するとともに、上方の層と下方の層に予め分離された液体を収容した第１の容器を第１容器保持部に前記液体取出管が上方に位置して保持した状態で容器加圧部により前記第１の容器を加圧し、前記容器内の上方の層の液体を前記液体取出管を介して第２容器保持部に保持された柔軟性を有する第２の容器に押し出すことにより液体分離を自動的に行なった後、初期設定としてシール設定が入力されていることを条件に、チューブシール部によりチューブを自動的にシールするうようにしたことを特徴とする液体分離方法。
【発明の詳細な説明】
【０００１】
【産業上の利用分野】
本発明は、液体分離装置および液体分離方法に係り、特に血液バッグ等の柔軟性を有する容器（血液バッグ）から、血漿、赤血球等を自動的に分離する液体分離装置及びその方法に関する。また、特に血液バッグ等の柔軟性を有する容器（血液バッグ）の重量を測定・表示しながら血漿、赤血球等を自動的に分離する液体分離装置及びその方法に関する。
【０００２】
【従来の技術】
従来、血液の成分輸血を行うため、遠心分離された血液バッグ中の血液を成分毎に分離するための液体分離装置が提案されている。しかしながら、従来の液体分離装置では、第２分離容器（子バッグ）に収容された液体重量のみを測定するものであった。また、遠心分離された血液を分離する場合、第１分離容器（親バッグ）に残された液体は実質的に赤血球であり、この赤血球は血液製剤として使用される。従来の液体分離装置ではこの血液製剤としての赤血球の量（重量）が測定できず、別途秤などを用いて量を測定する必要があった（例えば特許文献１）。
【特許文献１】特許第２９４１１７７号公報
【０００３】
【発明が解決しようとする課題】
本発明は、従来技術の問題点に鑑みなされたものであって、第１分離容器（親バッグ）の重量を測定することにより、血漿などが第２分離容器に収容された後、第１分離容器に残存する血液製剤としての赤血球の量（重量）を測定でき、血液製剤として過不足であるか否かを容易に判明することができる液体分離装置（血液自動分離装置）、その分離方法を提供することを目的とする。また、分離処理後のチューブシールまでの工程を自動でおこなうことを可能にする液体分離装置（血液自動分離装置）、その分離方法を提供することを目的とする。
【０００４】
【課題を解決するするための手段】
本発明は、液体取出管が設けられ柔軟性を有するとともに、上方の層と下方の層に予め分離された液体を収容した第１の容器を保持しうる第１容器保持部と、第１容器保持部に液体取出管が上方に位置して保持された第１の容器を加圧して容器内の上方の層の液体を液体取出管を介して押し出す容器加圧部と、容器加圧部により容器の液体取出管から押し出された液体が通路を介して収容されうる柔軟性を有する第２の容器を保持しうる第２容器保持部と、通路を開閉する開閉部と、第１の容器内の分離された液体の界面を検出する界面検出部と、第１の容器に収容される液体重量を測定する第１の液体重量測定部と第２の容器に収容される液体重量を測定する第２の液体重量測定部と、界面検出部によって検出された検出信号、第１の液体重量測定部、第２の液体重量測定部によって測定された測定信号、及び予め入力されているプログラムに基づき容器加圧部及び開閉部を操作する操作信号を演算出力する演算制御部とを備え、演算制御部により出力された操作信号によって容器加圧部及び開閉部を操作して、液体分離を自動的に行なうようにしたことを特徴とする液体分離装置（血液自動分離装置）である。
【０００５】
本発明は、また、第１の容器に対する界面設定位置を設定するための界面設定部、及び第２の容器の風袋重量及び第２容器に収容すべき設定液体重量を設定するための液体重量設定部、設定された界面設定位置、風袋重量及び設定液体重量を記憶し、この記憶データを書換え読出しできるとともに不揮発性の記憶部とをさらに備え、演算制御部は、記憶部が記憶している界面設定位置及び設定液体重量のデータと、界面検出部の検出結果と、液体重量測定部の測定結果とに基づき、界面検出部の検出界面が界面設定位置に達したこと及び／又は該液体重量測定部の測定結果が設定液体重量に達したことを認識して、開閉部を閉止させる液体分離装置（血液自動分離装置）である。
【０００６】
本発明は、また、第１の容器に対する界面設定位置を設定するための界面設定部により記憶された記憶データ、第１の容器に収容すべき第１の設定液体重量を設定するための第１の液体重量設定部により記憶され記憶データ、第２の容器に収容すべき第２の設定液体重量を設定するための第２の液体重量設定部により記憶された記憶データ及び第１及び第２の設定液体重量を記憶し、これらの記憶データを書換え読出しできるとともに不揮発性の記憶部とをさらに備え、界面検出部は、その界面検出位置を第１の容器に対する特定位置に調整できる機能を備えており、演算制御部は、界面設定部の設定結果を得て、界面検出部の界面検出位置を界面設定位置に定め、その後、界面検出部の検出結果と、液体重量測定部の測定結果と、記憶部が記憶している第１及び第２の設定液体重量のデータとを得て、第１の容器内の界面が界面設定位置に達し、及び／又は第１の液体重量測定部の測定結果が第１の設定液体重量に達したことを認識して、開閉部を閉止させるの液体分離装置である。本発明は、また、界面設定部にて設定された界面設定位置を記憶し、この記憶データを書換え読出しできるとともに不揮発性の記憶部をさらに備え、演算制御部は、記憶部が記憶している界面設定位置のデータを得て界面検出部の界面検出位置を界面設定位置に定める液体分離装置（血液自動分離装置）である。本発明は、また、液体取出管が設けられ柔軟性を有するとともに、上方の層と下方の層に予め分離された液体を収容した第１の容器を保持しうる第１容器保持部と、第１容器保持部に液体取出管が上方に位置して保持された第１の容器を加圧して容器内の上方の層の液体を液体取出管を介して押し出す容器加圧部と、容器加圧部により容器の液体取出管から押し出された液体が通路を介して収容されうる柔軟性を有する第２の容器を保持しうる第２容器保持部と、通路を開閉する開閉部と、第１の容器内の分離された液体の界面を検出する界面検出部と、第１の容器に収容される液体重量を測定する第１の液体重量測定部と、第２の容器に収容される液体重量を測定する第２の液体重量測定部と、界面検出部によって検出された検出信号、第１の液体重量測定部、第２の液体重量測定部によって測定された測定信号、及び予め入力されているプログラムに基づき容器加圧部及び開閉部を操作する操作信号を演算出力する演算制御部と、チューブシール部とを備え、演算制御部により出力された操作信号によって容器加圧部及び開閉部を操作して、液体分離を自動的に行ない、自動分離後は、初期設定としてシール設定が入力されていることを条件に、チューブシール部により自動的にチューブをシールするようにしたことを特徴とする液体分離装置（血液自動分離装置）である。
【０００７】
本発明は、また、第１の容器内の分離された液体の界面を検出する界面検出部によって検出された検出信号、第１の容器に収容される液体重量を測定する第１の液体重量測定部によって測定された測定信号、第２の容器に収容される液体重量を測定する第２の液体重量測定部によって測定された測定信号、及び予め入力されているプログラムに基づき容器加圧部及び開閉部を操作しながら、液体取出管が設けられ柔軟性を有するとともに、上方の層と下方の層に予め分離された液体を収容した第１の容器を第１容器保持部に液体取出管が上方に位置して保持した状態で容器加圧部により第１の容器を加圧し、容器内の上方の層の液体を液体取出管を介して第２容器保持部に保持された柔軟性を有する第２の容器に押し出すことにより液体分離を自動的に行なうようにしたことを特徴とする液体分離方法である。本発明は、また、第１の容器内の分離された液体の界面を検出する界面検出部によって検出された検出信号、第１の容器に収容される液体重量を測定する第１の液体重量測定部によって測定された測定信号、第２の容器に収容される液体重量を測定する第２の液体重量測定部によって測定された測定信号、及び予め入力されているプログラムに基づき容器加圧部及び開閉部を操作しながら、液体取出管が設けられ柔軟性を有するとともに、上方の層と下方の層に予め分離された液体を収容した第１の容器を第１容器保持部に液体取出管が上方に位置して保持した状態で容器加圧部により第１の容器を加圧し、容器内の上方の層の液体を液体取出管を介して第２容器保持部に保持された柔軟性を有する第２の容器に押し出すことにより液体分離を自動的に行なった後、初期設定としてシール設定が入力されていることを条件に、チューブシール部によりチューブを自動的にシールするうようにしたことを特徴とする液体分離方法（血液自動分離方法）である。
【０００８】
【発明の実施の形態】
（実施例）
図１は本発明の液体分離装置（自動血液分離装置）の一例を示す斜視図、図２は液体分離装置（自動血液分離装置）の制御系統を示すブロック図、図３は図１の要部を示す断面図、図４は図３のＡ−Ａ線に沿う矢視図及び図４（Ａ）のＢ−Ｂ線に沿う矢視図、図５は液体分離装置の容器保持部開き状態を示す斜視図、図６は分離操作を示すフローチャート、図７は第１の容器（第１分離容器、即ち血液バッグの親バッグ）に収容される液体重量を測定する第１の重量センサ（液体重量測定部）の詳細斜視図である。また、図８はチューブシール機能を更に備えた実施例のブロック図、図９はその実施例についてのフローチャートの一例を示すものである。
【０００９】
自動液体分離装置（血液自動分離装置）２０は、主に、予め遠心分離により複数層に分離された血液の成分分離に使用されるものである。その対象の液体収納容器（血液バッグ）２は、２００ｍＬ　及び４００ｍＬ　のものであり、それぞれ、ダブルバッグ（Ｄ）、トリプルバッグ（Ｔ）及び白血球除去用４連バッグ（クォドラップルバッグ）（Ｑ）（Ａｄｄｉｔｉｖｅ　Ｓｏｌｕｔｉｏｎ（血液保存剤）有：Ａｄまたは無）が使用可能なものである。尚、本実施例では４００ｍＬ用の白血球除去用４連バッグ（血液保存剤有）使用する場合について説明する。
【００１０】
自動液体分離装置２０は、液体取出管１１が設けられた第１の液体容器としての血液バッグ２の親バッグ（第１の容器、即ち第１の分離容器）２ａを保持する第１容器保持部２１と、第１容器保持部（第１容器保持手段）２１に保持された親バッグ２ａを加圧して親バッグ２ａ内の上方の層の血液成分を押し出す容器加圧部（容器加圧手段）２２と、容器加圧部２２により親バッグ２ａの液体取出管１１から各チューブを介して押し出された上方の層の血液成分が収容される第１子バッグ（第２容器のうちの１つ）２ｂ、第２子バッグ（第２容器のうちの１つ）２ｂ及び第３子バッグ（第２容器のうちの１つ）２ｃ及び第３子バッグ（第２容器のうちの１つ）２ｄを保持する第２容器保持部（第２容器保持手段）２３Ａ〜２３Ｃと、各チューブを開閉する開閉部２４と、血液バッグ２の血液の界面を検出する界面検出部（界面検出手段）２５と、第１容器保持部２１のフック（係合手段）７に吊るされた親バッグ２ａに収納されている血液成分（液体成分）の重量を測定する第１液体重量測定部（第１液体重量測定手段）、各子バッグ２ｂ、２ｃ、２ｄに収容される血液成分の重量を測定する重量測定部（第２液体重量測定手段）１０１、１０２と、界面検出部２５によって検出された検出信号、各重量測定部１０１、１０２によって測定された測定信号、及び予め入力されているプログラムに基づき容器加圧部２２及び開閉部２４を操作する操作信号を演算出力する演算制御部２６とを主要な構成要素としている。これらの重量測定部は歪ゲージ等で構成されている。２７は、操作ボックスであり、電源スイッチ４１、シール設定スイッチ４１ａ、シール位置選択スイッチ４１ｂ、分離パターン選択スイッチ４１ｃ、第１スタートスイッチ４２、開始／停止スイッチ４４、ディスプレイ（液晶デッスプレイ等の表示部）４５、使用バッグ選択・表示部４５ａ、重量表示部４５ｂである。
【００１１】
第１容器保持部２１は、操作ボックス２７の前面容器導入窓部２７ａに位置しており、図３の矢印のように開閉可能であり、開いた状態で親バッグ２ａをフック７、７に吊し、主容器保持部２１を閉じた状態が図３に示された状態となる。この状態で、第１重量測定部（重量センサ）１００で風袋重量を除いて血液（血液成分）の重量測定が行なわれる。尚、第１容器保持部２１は、所定軸２１Ａに対して回転する。
【００１２】
前記容器加圧部２２は、操作ボックス２７に支持されている回転軸８に固定された加圧板１０を押圧機構により容器保持部２１の側へ押圧し、加圧板１０と閉じ状態の容器保持部２１の間に親バッグ２ａ（または子バッグ２ｂ）を挟圧する（図５参照）。
【００１３】
容器加圧部２２の押圧機構は、図３、図４（Ａ）、（Ｂ）に示す如く、加圧モータ１１１にて駆動される送りねじ１１２に螺合して送りねじ１１２の方向に移動する移動子１１３と、移動子１１３と加圧板１０との間に介装されて容器加圧部を形成する加圧板１０に加圧力を及ぼす付勢部材１１４とを有して構成される。
【００１４】
ここで、付勢部材１１４は、図４（Ａ）、（Ｂ）に示す如く、筒状部材１１５、マンドレル１１６、第１ばね体１１７、第２ばね体１１８とから構成される。筒状部材１１５は、移動子１１３に遊挿され、両端ばね受部１１５Ａ、１１５Ｂを備える。マンドレル１１６は、筒状部材１１５に挿入され、筒状部材１１５内側の一端ばね受部１１６Ａを備え、かつ加圧板１０にピン結合される加圧板側受部材１１６Ｂを備える。
【００１５】
第１ばね体１１７と第２ばね体１１８は、第１ばね体１１７の方がばね定数を大とされ、第１ばね体１１７は筒状部材１１５まわりに外装され、第２ばね体１１８は筒状部材１１５内に内装される。そして、第１ばね体１１７と第２ばね体１１８は、第１ばね体１１７とばね受部１１５Ａとの衝合、第２ばね体１１８とばね受部１１５Ｂとの衝合を介して、加圧方向に直列的に連結され、第１ばね体１１７は移動子側受座金１１３Ａに後面支持され、第２ばね体１１８はマンドレル１１６のばね受部１１６Ａに前面支持される。
【００１６】
このとき、筒状部材１１５は、両ばね体１１７、１１８の間に介装されて第２ばね体変位阻止手段を構成し、移動子１１３が原位置から一定の小移動量を超えるときに、第２ばね体１１８を支持しているマンドレル１１６の加圧板側受部材１１６Ｂに衝合し、該第２ばね体１１８の変位を阻止し、移動子１１３の当該小移動量を超える大移動量の移動に際し、第１ばね体１１７を変位開始せしめるものとなる。尚、移動子１１３の下面には検出ドグ１１９が固定され、移動子１１３の移動経路には検出ドグ１１９を検出する原位置検出スイッチ１１９Ａ、小移動量検出スイッチ１１９Ｂ、大移動量検出スイッチ１１９Ｃが設置されている。
【００１７】
即ち、容器加圧部２２は、下記（Ａ）　、（Ｂ）の如くに動作する。
（Ａ）　小加圧力付与段階
演算制御部２６が加圧回路３０をしてモータ１１１を正転せしめると、送りねじ１１２が回転し、移動子１１３が原位置から移動開始し、ばね定数の小なる第２ばね体１１８を筒状部材１１５のばね受部１１５Ｂとマンドレル１１６のばね受部１１６Ａとの間で圧縮変位せしめる。
【００１８】
移動子１１３は、小移動量検出スイッチ１１９Ｂにて検出される小移動量を超えるに至る位置にて停止する。
【００１９】
これにより、圧縮された第２ばね体１１８の小なる加圧力が徐々に加圧板１０を押動し、加圧板１０は、容器保持部２１との間に小なる押圧力で子バッグ２ｂを挟圧する。
【００２０】
（Ｂ）　大加圧力付与段階
演算制御部２６が加圧回路３０をしてモータ１１１を正転せしめると、送りねじ１１２が回転し、移動子１１３が原位置から移動開始し、ばね定数の小なる第２ばね体１１８を筒状部材１１５のばね受部１１５Ｂとマンドレル１１６のばね受部１１６Ａとの間で圧縮変位せしめる。
【００２１】
移動子１１３が小移動量検出スイッチ１１９に対応する小移動量を超えるとき、第２ばね体変位阻止手段としての筒状部材１１５が第２ばね体１１８を支持しているマンドレル１１６の加圧板側受部材１１６Ｂに衝合し、該第２ばね体１１８の変位を阻止する。このとき、モータ１１１は正転を続け、移動子１１３は更に移動し、ばね定数の大なる第１ばね体１１７を移動子側受座金１１３Ａと筒状部材１１５のばね受部１１５Ａとの間で圧縮変位せしめる。
【００２２】
移動子１１３は、大移動量検出スイッチ１１９Ｃにて検出される大移動量を超えるに至る位置にて停止する。
【００２３】
これにより、圧縮された第１ばね体１１７の大なる加圧力が徐々に加圧板１０を押動し、加圧板１０は容器保持部２１との間に大なる押圧力で親バッグ２ａを挟圧する。
【００２４】
即ち、親バッグ２ａを押圧すべき第１分離操作時には、演算制御部２６が上述（Ｂ）　にてモータ１１１を駆動制御し、子バッグ２ｂを押圧すべき第２分離操作時には、演算制御部２６が上述（Ａ）　にてモータ１１１を駆動制御する。
【００２５】
液体分離装置２０は、操作ボックス２７の上面２７ｂに開閉するように取付けられたフタ３２を有している。このフタ３２は上面２７ｂに対して垂直方向に固定できるようになっており、このフタ３２には、子バッグを２個吊すことができるようにフック３３ａ、３３ｂが設けられ、更に、操作ボックス２７の上面２６ｂには、子バッグを１個載置できるトレー３５が設けられてなる。
【００２６】
開閉部２４は、操作ボックス２７の上面２６ｂにそれぞれ設けられた第１、第２、第３及び第４チューブクランパ３７、３８及び３９からなり、これらの各チューブクランパ３６、３７、３８及び３９はそれぞれに対応するソレイド３６ａ、３７ａ、３８ａ及び３９ａ（図２参照）により開閉する。
【００２７】
この各ソレイド３６ａ、３７ａ、３８ａ及び３９ａは駆動回路３６ｂ、３７ｂ、３８ｂ、及び３９ｂ並びに入出力ポート３１を介して演算制御部２６に電気的にそれぞれ接続されている。
【００２８】
界面検出部２５は、遠心分離された後の血液バッグ２内の、複数の液体成分（血液成分）層を形成する血漿層Ｃと軟膜層（バフィーコート）Ｄとの界面、及び／または軟膜層Ｄと赤血球Ｅとの界面を検出するもので、一般的にはフォトセンサが使用され、それぞれの層の光吸収率の差によって界面を検出するものである。尚、この界面検出部２５の取付位置は上下に若干補正することができるようになっている。この界面検出部２５は入出力ポート３１を介して演算制御部２６に電気的に接続されている。
【００２９】
界面検出部２５は、具体的には例えば、図３（Ｂ）の如く構成される。即ち、図３（Ｂ）において、１２１は加圧板１０に配設された発光手段、１２２は操作ボックス２７の側面２７ａに長手方向に一列に配設された受光手段である。発光手段１２１は第１容器保持部２１にセットされた血液バッグ２の上下方向に沿って延設される複数個（ここでは第１〜第１５の１５個）の赤外発光ダイオードからなり、受光手段１２２は発光手段１２１の全発光ダイオードに対向配置される２枚の並列接続された板状の発光ダイオードからなる。
【００３０】
このとき、液体分離装置２０は、第１容器保持部２１にセットされた血液バッグ２に対する界面設定位置（分離終了時にあるべき界面の位置）を、今回分離終了時に血液バッグ２にあるべき血漿残留量に応じて（従って、今回使用の血液バッグ２の容量、或いは前工程の遠心分離条件に応じて）設定するための界面設定部５０を備えている。また、液体分離装置２０は、この界面設定部５０にて設定された界面設定位置を後述する記憶部４０の不揮発性のＥＥＰＲＯＭ４０ｃに記憶させる。不揮発性のＥＥＰＲＯＭ４０ｃは、上述の記憶データを書換え呼出しできるとともに、主電源を切った状態においても記憶データを消去せしめることがない。
【００３１】
然して、界面検出部２５が界面設定部５０にて設定された界面位置を検出する方式は、例えば以下の如くによることができる。
【００３２】
演算制御部２６が、界面検出部２５の検出作業位置を、今回の親バッグ２ａ又は子バッグ２ｂについて、界面設定部５０が不揮発性のＥＥＰＲＯＭ４０ｃに記憶させた界面設定位置に対応せしめ、検出作業位置に位置する主発光ダイオード（例えば第８発光ダイオード）、並びに検出作業位置の上下両側に位置する上発光ダイオード（例えば第６発光ダイオード）と下発光ダイオード（例えば第１０発光ダイオード）の各素子を順次繰り返し発光せしめる。
【００３３】
同時に、演算制御部２６は受光装置１２２を構成する受光ダイオードの受光量をＡ／Ｄ変換後転送され、第６発光ダイオードと第１０発光ダイオードの受光量Ｓ６　、Ｓ１０の受光量の差（Ｓ６　−Ｓ１０）を演算し、第８発光ダイオードの受光量が下記数式となった時に血液バッグ２の界面が界面設定位置に達したことを認識する。
Ｓ８　≒（Ｓ６　−Ｓ１０）／２
【００３４】
重量測定部１０１、１０２は重量計測回路３５及び入出力ポート３１を介して、前記演算制御部２６に電気的に接続され、具体的には以下の如く構成される。
【００３５】
第２容器保持部２３Ａに設けられる、第１子バッグ２ｂのための重量測定部１０１は、図３に示す如く、子バッグ２ｂが載架されるバッグ受皿１０４を重量センサ１０５の上に支持することにて構成される。
【００３６】
第２容器保持部の副容器保持部２３Ｂ、２３Ｃに設けられる、子バッグ２ｃ、２ｄのための重量測定部１０２は、それら子バッグ２ｃ、２ｄが吊されるフック３３ａ、３３ｂを単一の重量センサ１０６に支持することにて構成される。即ち、２つの容器保持部２３Ｂ、２３Ｃは単一の重量測定部１０２を共有し、各容器保持部２３Ｂ、２３Ｃのそれぞれに保持されている子バッグ２ｃ、２ｄの重量変化量を選択的に測定できる。
【００３７】
尚、重量センサ１０５は、操作ボックス２７内に固定のセンサ保持ブラケット１０５Ａに支持され、、重量センサ１０６は、フタ３２の内部に固定のセンサ保持ブラケット（不図示）にそれぞれ支持され、上面の２位置、下面の２位置のそれぞれに張付けられてホイートストンブリッジ回路を形成する歪ゲージを備えて構成される。
【００３８】
このとき、液体分離装置２０は、第２容器保持部２３Ａ、第２容器保持部の副容器保持部２３Ｂ、２３Ｃにセットされた各子バッグ２ｂ〜２ｄに収容すべき液量を、今回使用の子バッグ２ｂ〜２ｄの容量に応じて設定するための液量設定部６０を備えている。また、液体分離装置２０は、この液量設定部６０にて設定された設定液量を後述する不揮発性のＥＥＰＲＯＭ４０ｃに記憶させる。記憶部４０は、上述の記憶データを書換え読出しできるとともに、主電源を切った状態においても記憶データを消去せしめることがない。
【００３９】
従って、各重量測定部１０１、１０２は上記液量設定部６０にて設定された液量を以下の如く測定する。即ち、演算制御部２６は、不揮発性のＥＥＰＲＯＭ４０ｃが記憶している液量設定部６０の記憶データと、各重量測定部１０１、１０２の測定結果とを得て各重量測定部１０１、１０２の測定結果がそれらの設定液量に達したことを認識できる。これと並行して親バッグ２ａの重量もフック７に係合した重量センサ１００により測定される。図７は、重量センサ１００の詳細を示す斜視図である。親バッグ２ａがフック７に係合されると、フック７に下向きの荷重が加わると支点７ａを軸に反時計回りの動きが生じ、ロードセル７ｃの下面に対して下方向から反時計回りに上向きに荷重が加わり、親バッグ２ａの風袋重量を除いた血液重量（血液成分の重量）が測定される。
【００４０】
このとき、演算制御部２６は、第２容器保持部の副容器保持部２３Ｂ、２３Ｃにて共有されている重量測定部１０２の出力変化量が、副容器保持部２３Ｂ、２３Ｃのいずれに保持されている子バッグ２ｃ、２ｄの重量変化量に対応するものであるかを以下の如くにより選択的に認識する。即ち、制御部２６は、重量測定部１０２の測定結果を得るとともに、今回開閉部２４のチューブクランパ３８、３９にてクランプ解除されたチューブ１５ａ、１５ｂに連通している子バッグ２ｃ、２ｄを認識し、該重量測定部１０２の測定結果が上記クランプ解除されたチューブ１５ａ、１５ｂに連通している子バッグ２ｃ、２ｄの重量変化量に対応するものであることを認識し、当該子バッグ２ｃ又は２ｄの重量変化量を演算し出力できる。
【００４１】
演算制御部２６は、入出力ポート３１から入力される各信号と、必要に応じて記憶部４０（ＲＯＭ４０ａ、ＲＡＭ４０ｂ、ＥＥＰＲＯＭ４０ｃを含む）から読み出した情報とに基づき演算して操作信号を各回路を介して各機器に出力するためのものである。そして、記憶部４０のＲＯＭ４０ａには、予め本発明の操作方法が記憶されているプログラムが装着されており、演算制御部２６に電気的に接続されている。尚、このプログラムは、例えば、４００ｍＬの場合、２００ｍＬの場合、その他種々の操作方法の各場合についてあり、このプログラムを選択スイッチにより選択することにより、操作方法を種々に変えることができる。尚、ＲＯＭ４０ａに装着されるプログラムは各操作方法毎に作られたプログラムカセットを、操作方法毎に交換する方式でもよい。
【００４２】
尚、ＲＯＭ（４０ａ）は、「リード・オンリー・メモリ」であり、液体分離（血液分離）操作を自動的に行なうためのプログラムが入っており、電源を切っても、その内容は失われることがない（即ち、不揮発性の記憶部である）。また、その内容を書き替えることはできない。
【００４３】
また、ＲＡＭ（４０ｂ）は、「ランダム・アクセス・メモリ」であり、液体分離操作の途中で現在の分離操作が何ステップ目にあるかを記憶したり、液量の測定結果を記憶したり、界面検出部の測定結果を記憶したり、演算制御部で行なっている演算の途中結果を記憶するためのメモリであり、電源を切ると、その内容は全て失われる。
【００４４】
また、ＥＥＰＲＯＭ（４０ｃ）は、「エレクトリカル・イレーサブル・プログラマブル・リード・オンリー・メモリ」であり、リード・オンリー・メモリとは言っても書き込み用の高電圧を印加することで内容を書き替えることが可能である。また、記憶した内容は電源を切っても消えない（即ち、不揮発性の記憶部である）。このＥＥＰＲＯＭには血液バッグのタイプ毎の、界面検出設定値、液量設定値が全て記憶されており、設定変更モードに切り換えた時のみ、設定内容を書き替えることができる。
【００４５】
即ち、演算制御部２６は、界面検出部２５によって検出された検出結果、重量測定部１０１、１０２によって測定された測定結果、及びプログラムに基づき容器加圧部２２及び開閉部２４を操作して、液体分離（血液分離）を自動的に行なう。
【００４６】
このとき、演算制御部２６は、不揮発性のＥＥＰＲＯＭ４０Ｃが記憶している界面設定位置及び設定液量のデータと、界面検出部２５の検出結果と、各重量測定部１０１、１０２の測定結果とに基づき、界面検出部２５の検出界面が界面設定位置に達し、及び／又は各重量測定部１０１、１０２の測定結果が設定液量に達したことを認識して開閉部２４を閉止させ、分離動作を終了せしめる。
【００４７】
また、この演算制御部２６には、入出力ポート３１を介して、電源スイッチ４１、第１スタートスイッチ４２、第２スタートスイッチ４３及び停止スイッチ４４等のスイッチ類並びに液晶ディスプレイ４５が電気的に接続されている。これらスイッチ類及び液晶ディスプレイ４５は操作ボックス２７の傾斜部２７ｃにあるパネル部に取付けられている。この液晶ディスプレイ４５は操作ボックス２７の操作パネル上に設けられている。そして、この液晶ディスプレイ４５には使用プログラムの名称が表示される。従って、このプログラムが正しいものであるかどうか確認できる。また、エラーメッセージ、例えば界面レベル、重量計に異常がある場合（子バッグが所定個所にセットされていない）等はその旨が液晶ディスプレイ４５に表示されるようになっている。
【００４８】
次に、上記構成になる自動液体分離装置（血液自動分離装置）２０の操作について図１を参照して説明する。図６は自動液体分離装置に遠心分離した白血球除去用４連血液バッグ（保存液有：クォドラップルバッグ−Ａｄ）２を使用した場合の分離操作を示すフローチャートである。
【００４９】
先ず、自動液体分離装置２０の電源スイッチ４１をＯＮして、初期設定（例えば、シール設定スイッチ４１ａでの「自動」か「手動」かのいずれかの選択等）を行なう（ステップ（１）　）。次に、供血者から４００ｍＬ採血した血液バッグ（白血球除去用４連バッグ）２を遠心分離したもの、例えば、３０００〜４０００Ｇ　で　５分間行なったものを用意する。遠心分離された血液バッグ２を図１に示すように自動液体分離装置２０にセットする。血液バッグ２のうち４００ｍＬ　の全血が入った親バッグ２ａを第１容器保持部２１のフック７、７に吊す。また、第１子バッグ２ｂを第２容器保持部２３Ａのトレー３５に載置する、即ち図３における重量測定部１０５のバッグ受皿１０４に載架する。
【００５０】
更に、第２、第３の各子バッグ２ｃ、２ｄを重量測定部１０２のフック３３ａ、３３ｂにそれぞれ吊す。更に血液バッグ２の接続チューブ（第１の接続チューブ）１２を第１チューブクランパ３６に、接続チューブ（第２の接続チューブ）１４を第２チューブクランパ３７に、接続チューブ（第３の接続チューブ）１５ａ及び接続チューブ（第４の接続チューブ）１５ｂを第３及び第４チューブクランパ３８及び３９にそれぞれセットする。
【００５１】
血液バッグ２を自動液体分離装置２０にセットした後、この血液バッグ２、即ち、白血球除去用４連バッグ用のプログラムを使用バッグ選択・表示部４５ａにより、ダブルバッグ（Ｄ）、トリプルバッグ（Ｔ）及び白血球除去用４連バッグ（クォドラップルバッグ）（Ｑ）（Ａｄｄｉｔｉｖｅ　Ｓｏｌｕｔｉｏｎ（血液保存剤）有：Ａｄまたは無）から、使用バッグ選択・表示部４５ａにより、白血球除去用４連バッグ（クォドラップルバッグ）（Ａｄｄｉｔｉｖｅ　Ｓｏｌｕｔｉｏｎ（血液保存剤有）（Ｑ−Ａｄ）を選択して、自動液体分離装置２０の記憶部４０からプログラム読み出す（ステップ（２）　）。
【００５２】
使用バッグ選択・表示部４５ａに選択された血液バッグ２の品種が表示されるので、この表示を見て血液バッグ２の種類とセットしたプログラムとが一致するか否か判別する（ステップ（３）　）。ステップ（３）　の答が否定（ＮＯ）であれば、開始／停止スイッチ４４をＯＮして全面解除して、ステップ（２）　に戻り、正しいプログラムを選択して記憶部４０から読み出す。ステップ（３）　の答が肯定（ＹＥＳ）であれば、ステップ（４）　に進み、第１スタートスイッチ４２をＯＮしてステップ（５）　に進む。
【００５３】
ステップ（５）　にて界面検出部２５の検出結果を得て分離界面レベルが所定位置になっているか、即ち、親バッグ２ａが所定位置にセットされているか否かを判定する。この際、液晶ディスプレイ４５上にその旨が表示されるから、これを見て判定することになり、ステップ（５）　の答が否定（ＮＯ）であればステップ（４）　に戻り、停止スイッチ４４をＯＮして全面解除し、親バッグ２ａの位置を所定位置にセットして、再び第１スタートスイッチ４２をＯＮする。ステップ（５）　の答が肯定（ＹＥＳ）であれば、ステップ（６）　に進み、ステップ（６）　で、重量測定部１０１が所定の重量を示しているか、即ち、所定品種の第１子バッグ２ｂが所定位置にセットされているか否かを判定する。また、重量測定部１０２が所定の重量を示しているか、即ち、所定品種の第２子バッグ２ｃ、第３子バッグ２ｄが所定位置にセットされている否かを判定する。
【００５４】
その旨が液晶ディスプレイ４５上に表示されるから、これを見て判定しステップ（６）　の答が否定（ＮＯ）であれば、再びステップ（４）　に戻り、開始／停止スイッチ４４をＯＮして全面解除して、第１子バッグ２ｂを所定位置にセットして、再び、第１スタートスイッチ４２をＯＮする。ステップ（６）　の答が肯定（ＹＥＳ）であればステップ（７）　に進み、第１、第２、第３、第４チューブクランパ３６、３７、３８、３９が全て閉となる。親バッグ２ａの液体取出管１１内に内蔵された破断して分離可能な栓体を折り、親バッグ２ａとチューブ１２を連通すると同時に、第３子バッグ２ｄの液体取出管１８内に内蔵された破断して分離可能な栓体を折り、第３子バッグ２ｄとチューブ１５ｂを連通する。
【００５５】
次にステップ（８）　に進み、第１スタートスイッチ４２をＯＮしてステップ（９）に進み、第１及び第３チューブクランパ３６及び３８が開、第２及び第４チューブクランパ３７及び３９が閉となる。
【００５６】
次にステップ（１０）に進み、容器加圧部２２の移動子１１３を大移動量検出スイッチ１１９Ｃにて検出される大移動量を超える位置まで移動させて加圧板１０による加圧動作を作動せしめ、親バッグ２ａの加圧を開始する。親バッグ２ａの血漿層Ｃは第２子バッグ２ｃに移り始める。この時、親バッグ２ａの血液成分の重量が測定され、表示部４５ｂに表示される（加圧動作時は測定・表示されない）。
【００５７】
このとき、容器加圧部２２は、前述（Ｂ）　の大加圧力付与段階における如くに、ばね定数の大なる第１ばね体１１７を変位せしめることにて、該第１ばね体１１７の大なる加圧力にて加圧板１０を押動し、加圧板１０と容器保持部２１との間に生ずる大きな押圧力で親バッグ２ａを挟圧する。
【００５８】
次にステップ（１１）に進んで、血漿層Ｃと軟膜層Ｄとの界面が界面検出部２５にて設定位置に達したか否かを判定する。ステップ（１１）の答が否定（ＮＯ）であれば、ステップ（１０）に戻り、加圧板１０の加圧を続行して血漿層Ｃを第２子バッグ２ｃに送る。
【００５９】
ステップ（１１）の答が肯定（ＹＥＳ）であればステップ（１２）に進み、第１及び第２チューブクランパ３６及び３７が開、第３及び第４チューブクランパ３８及び３９が閉となり、第１子バッグ２ｂに血漿層Ｃの一部、軟膜層Ｄ及び赤血球層Ｅの一部を移す。次にステップ（１３）に進み、重量測定部１０１の測定結果を得て、第１子バッグ２ｂ内に入った血液重量が所定重量（閾値）、３０ｇ　になったか否かを判定する。ステップ（１３）の答が否定（ＮＯ）であれば、前に進まず、重量が３０ｇ　になるまで待つ。ステップ（１３）の答が肯定（ＹＥＳ）であれば、ステップ（１４）に進んで、加圧板１０の加圧を停止してステップ（１５）に進む。
【００６０】
ステップ（１５）にて、第２及び第３チューブクランパ３７及び３８が開、第１及び第４チューブクランパ３６及び３９が閉となる。従って、第２子バッグ２ｃに入っている血漿層Ｃが第１子バッグ２ｂに自然流下で移る。ステップ（１６）に進み、重量測定部１０１の測定結果を得て、第１子バッグ２ｂ内に入った血漿重量が所定重量（ここでは、３０ｇ＋４０ｇ＝７０ｇ）　になったか否かを判定する。ステップ（１６）の答が否定（ＮＯ）であれば、前に進まず、所定重量（閾値）７０ｇになるまで待つ。血漿重量は、風袋重量を含めて液晶ディスプレイ４５に表示される。これと併せて親バッグ２ａの重量も表示部４５ｂに表示されるので所定重量であるか否かを判定する。
【００６１】
ステップ（１６）の答が肯定（ＹＥＳ）であればステップ（１７）に進んで、ステップ（１７）にて、第１及び第４チューブクランパ３６及び３９が開、第２及び第３チューブクランパ３７及び３８が閉となる。従って、第３子バッグ２ｄ内の赤血球の保存液（Ａｄｄｉｔｉｖｅ　Ｓｏｌｕｔｉｏｎ　）が親バッグ２ａに自然流下で移る。ステップ（１８）に進み、重量測定部１０１の測定結果を得て、親バッグ２ａの入った赤血球保存液（Ａｄｄｉｔｉｖｅ　Ｓｏｌｕｔｉｏｎ　）の重量が９０ｇ（所定重量）　になったか否かを判定する。ステップ（１８）の答えが否定（ＮＯ）であれば、前に進まず、表示部４５ｂに表示される重量を確認しながら所定重量（ここでは９０ｇ）　になるまで待つ。
【００６２】
ステップ（１８）の答えが肯定（ＹＥＳ）であればステップ（１８）に進んで停止スイッチがＯＮされ、エンドとなり、第１遠心分離された血液成分分離操作が終了する。この後、チューブシーラー等でチューブ１２及び１５ａをシールした後、血液バッグ２から親バッグ２ａ、第２子バッグ２ｃを切断する。切断された親バッグ２ａ及び第２子バッグ２ｃは所定場所に保管される。この後、電源スイッチ４１がＯＦＦされ、終了となり、第２遠心分離された血液成分分離操作が終了する。この後、チューブシーラー（登録商標）等でチューブ１４又は１５ｂをシールした後、第１及び第３子バッグ２ｂ及び２ｄを切断する。第１子バッグ２ｂは廃棄し、第３子バッグ２ｄは所定場所に保管する。
【００６３】
図８は、上述の実施例にチューブシール機能をさらに備えた他の実施例である自動液体分離装置（血液自動分離装置）のブロック図である。同一参照番号は同一の構成要件であるので説明を割愛する。７０は、初期設定として「自動」の「シール設定」が入力されていることを条件にシール駆動回路で、第１シール部７０１，第２シール部７０２，第３シール部７０３，第４シール部７０４のうちのいずれかを駆動させて、高周波により、シール部７０１，７０２，７０３，７０４にそれぞれ対応したチューブ１２，チューブ１４，チューブ１５ａ，チューブ１５ｂを所定長シール（融着）させるものである。好ましくは、これらのシール部７０１，７０２，７０３，７０４は、チューブクランパ３６，チューブクランパ３７，チューブクランパ３８，チューブクランパ３９の中にそれぞれ実装されている。また、図９は、その動作のフローチャートである。上記構成になる自動液体分離装置（血液自動分離装置）２０の操作について図８及び図９を参照して説明する。図９は自動液体分離装置に遠心分離した白血球除去用４連血液バッグ（保存液有：クゥオドラップルバッグ−Ａｄ）２を使用した場合の分離操作を示すフローチャートである。
【００６４】
先ず、自動液体分離装置２０の電源スイッチ４１をＯＮして、初期設定として、シール設定スイッチ４１ａ（図１参照）で、シール設定条件として、「自動」、「手動」のいずれかを初期設定として選択入力する。また、シール箇所（チューブ１２，チューブ１４，チューブ１５ａ，チューブ１５ｂのうちいずれのチューブをシールするか）についてもシール位置選択スイッチ４１ｂで初期設定として入力する。また、分離パターンについても選択する（ステップ（１０１）　）。これらの初期設定は、一例であってこれらに限定されるものではない。次に、供血者から４００ｍＬ採血した血液バッグ（白血球除去用４連バッグ）２を遠心分離したもの、例えば、３０００〜４０００Ｇ　で　５分間行なったものを用意する。遠心分離された血液バッグ２を図１に示すように自動液体分離装置２０にセットする。血液バッグ２のうち４００ｍＬ　の全血が入った親バッグ２ａを第１容器保持部２１のフック７、７に吊す。また、第１子バッグ２ｂを第２容器保持部２３Ａのトレー３５に載置する、即ち図３における重量測定部１０５のバッグ受皿１０４に載架する。
【００６５】
更に、第２、第３の各子バッグ２ｃ、２ｄを重量測定部１０２のフック３３ａ、３３ｂにそれぞれ吊す。更に血液バッグ２の接続チューブ（第１の接続チューブ）１２を第１チューブクランパ３６に、接続チューブ（第２の接続チューブ）１４を第２チューブクランパ３７に、接続チューブ（第３の接続チューブ）１５ａ及び接続チューブ（第４の接続チューブ）１５ｂを第３及び第４チューブクランパ３８及び３９にそれぞれセットする。
【００６６】
血液バッグ２を自動液体分離装置２０にセットした後、この血液バッグ２、即ち、白血球除去用４連バッグ用のプログラムを使用バッグ選択・表示部４５ａにより、ダブルバッグ（Ｄ）、トリプルバッグ（Ｔ）及び白血球除去用４連バッグ（クォドラップルバッグ）（Ａｄｄｉｔｉｖｅ　Ｓｏｌｕｔｉｏｎ（血液保存剤）有：Ａｄまたは無）から、白血球除去用４連バッグ（クォドラップルバッグ）（Ａｄｄｉｔｉｖｅ　Ｓｏｌｕｔｉｏｎ（血液保存剤有）を選択して、自動液体分離装置２０の記憶部４０からプログラムを読み出す（ステップ（１０２）　）。
【００６７】
使用バッグ選択・表示部４５ａに選択された血液バッグ２の品種が表示されるので、この表示を見て血液バッグ２の種類とセットしたプログラムとが一致するか否か判別する（ステップ（１０３）　）。ステップ（１０３）　の答が否定（ＮＯ）であれば、開始／停止スイッチ４４をＯＮして全面解除して、ステップ（１０２）　に戻り、正しいプログラムを選択して記憶部４０から読み出す。ステップ（１０３）の答が肯定（ＹＥＳ）であれば、ステップ（１０４）　に進み、第１スタートスイッチ４２をＯＮしてステップ（１０５）　に進む。
【００６８】
ステップ（１０５）　にて界面検出部２５の検出結果を得て分離界面レベルが所定位置になっているか、即ち、親バッグ２ａが所定位置にセットされているか否かを判定する。この際、液晶ディスプレイ４５上にその旨が表示されるから、これを見て判定することになり、ステップ（５）　の答が否定（ＮＯ）であればステップ（１０４）　に戻り、停止スイッチ４４をＯＮして全面解除し、親バッグ２ａの位置を所定位置にセットして、再び第１スタートスイッチ４２をＯＮする。ステップ（１０５）　の答が肯定（ＹＥＳ）であれば、ステップ（１０６）　に進み、ステップ（１０６）　で、重量測定部１０１が所定の重量を示しているか、即ち、所定品種の第１子バッグ２ｂが所定位置にセットされているか否かを判定する。また、重量測定部１０２が所定の重量を示しているか、即ち、所定品種の第２子バッグ２ｃ、第３子バッグ２ｄが所定位置にセットされている否かを判定する。
【００６９】
その旨が液晶ディスプレイ４５上に表示されるから、これを見て判定しステップ（１０６）　の答が否定（ＮＯ）であれば、再びステップ（１０４）　に戻り、開始／停止スイッチ４４をＯＮして全面解除して、第１子バッグ２ｂを所定位置にセットして、再び、第１スタートスイッチ４２をＯＮする。ステップ（１０６）　の答が肯定（ＹＥＳ）であればステップ（１０７）　に進み、第１、第２、第３、第４チューブクランパ３６、３７、３８、３９が全て閉となる。親バッグ２ａの液体取出管１１内に内蔵された破断して分離可能な栓体を折り、親バッグ２ａとチューブ１２を連通すると同時に、第３子バッグ２ｄの液体取出管１８内に内蔵された破断して分離可能な栓体を折り、第３子バッグ２ｄとチューブ１５ｂを連通する。
【００７０】
次にステップ（１０８）　に進み、第１スタートスイッチ４２をＯＮしてステップ（１０９）に進み、第１及び第３チューブクランパ３６及び３８が開、第２及び第４チューブクランパ３７及び３９が閉となる。
【００７１】
次にステップ（１１０）に進み、容器加圧部２２の移動子１１３を大移動量検出スイッチ１１９Ｃにて検出される大移動量を超える位置まで移動させて加圧板１０による加圧動作を作動せしめ、親バッグ２ａの加圧を開始する。親バッグ２ａの血漿層Ｃは第２子バッグ２ｃに移り始める。この時、親バッグ２ａの血液成分の重量が測定され、表示部４５ｂに表示される（加圧動作時は測定・表示されない）。
【００７２】
このとき、容器加圧部２２は、前述（Ｂ）　の大加圧力付与段階における如くに、ばね定数の大なる第１ばね体１１７を変位せしめることにて、該第１ばね体１１７の大なる加圧力にて加圧板１０を押動し、加圧板１０と容器保持部２１との間に生ずる大きな押圧力で親バッグ２ａを挟圧する。
【００７３】
次にステップ（１１１）に進んで、血漿層Ｃと軟膜層Ｄとの界面が界面検出部２５にて設定位置に達したか否かを判定する。ステップ（１１１）の答が否定（ＮＯ）であれば、ステップ（１１０）に戻り、加圧板１０の加圧を続行して血漿層Ｃを第２子バッグ２ｃに送る。
【００７４】
ステップ（１１１）の答が肯定（ＹＥＳ）であればステップ（１１２）に進み、第１及び第２チューブクランパ３６及び３７が開、第３及び第４チューブクランパ３８及び３９が閉となり、第１子バッグ２ｂに血漿層Ｃの一部、軟膜層Ｄ及び赤血球層Ｅの一部を移す。次にステップ（１１３）に進み、重量測定部１０１の測定結果を得て、第１子バッグ２ｂ内に入った血液重量が所定重量（閾値）、３０ｇ　になったか否かを判定する。ステップ（１１３）の答が否定（ＮＯ）であれば、前に進まず、重量が３０ｇ　になるまで待つ。ステップ（１１３）の答が肯定（ＹＥＳ）であれば、ステップ（１１４）に進んで、加圧板１０の加圧を停止してステップ（１１５）に進む。
【００７５】
ステップ（１１５）にて、第２及び第３チューブクランパ３７及び３８が開、第１及び第４チューブクランパ３６及び３９が閉となる。従って、第２子バッグ２ｃに入っている血漿層Ｃが第１子バッグ２ｂに自然流下で移る。ステップ（１１６）に進み、重量測定部１０１の測定結果を得て、第１子バッグ２ｂ内に入った血漿重量が所定重量（ここでは、３０ｇ＋４０ｇ＝７０ｇ）　になったか否かを判定する。ステップ（１１６）の答が否定（ＮＯ）であれば、前に進まず、所定重量（閾値）７０ｇ　になるまで待つ。血漿重量は、風袋重量を含めて液晶ディスプレイ４５に表示される。これと併せて親バッグ２ａの重量も表示部４５ｂに表示されるので所定重量であるか否かを判定する。
【００７６】
ステップ（１１６）の答が肯定（ＹＥＳ）であればステップ（１１７）に進んで、ステップ（１１７）にて、第１及び第４チューブクランパ３６及び３９が開、第２及び第３チューブクランパ３７及び３８が閉となる。従って、第３子バッグ２ｄ内の赤血球の保存液（Ａｄｄｉｔｉｖｅ　Ｓｏｌｕｔｉｏｎ　）が親バッグ２ａに自然流下で移る。ステップ（１１８）に進み、重量測定部１０１の測定結果を得て、親バッグ２ａの入った赤血球保存液（Ａｄｄｉｔｉｖｅ　Ｓｏｌｕｔｉｏｎ　）の重量が９０ｇ（所定重量）　になったか否かを判定する。ステップ（１１８）の答えが否定（ＮＯ）であれば、前に進まず、表示部４５ｂに表示される重量を確認しながら所定重量（ここでは９０ｇ）　になるまで待つ。
【００７７】
ステップ（１１８）の答えが肯定（ＹＥＳ）であればステップ（２０）に進む。シール設定が、「自動」として入力されている場合、血液を各バッグ２ａ，２ｃ，２ｄに所定量分離した後、初期設定として「シール設定」が入力されていることを条件に、シール駆動回路７０により、第１シール部７０１，第２シール部７０２，第３シール部７０３，第４シール部７０４のうち、前記初期設定で設定・入力したシール箇所に基づいて、いずれか（複数の場合もある）を駆動させ、所定の周波数の高周波を発生させ、血液バッグ２のチューブ１２、チューブ１４、チューブ１５ａ、チューブ１５ｂのうち、設定・入力されたチューブを所定長自動的にシール（融着）する。チューブのシールが終われば、全ての処理が終了した旨、アラーム部４１ｄでブザー又は合成音声及び／又は表示で報知し（ステップ２１）、停止スイッチをオンする（ステップ２２）と、全ての処理が終了する。その後、看護師等の医療従事者が治具で第１及び第３子バッグ２ｂ及び２ｄを切断する。第１子バッグ２ｂは廃棄し、第３子バッグ２ｄは所定場所に保管する。
【００７８】
上述した実施例は、４００ｍＬ用の白血球除去用４連バッグを使用する場合についての血液分離の動作（処理フロー）を説明したものであり、血液バッグ（親バッグ）の容量も２００ｍＬ及び４００ｍＬがあり、それぞれ、ダブルバッグ、トリプルバッグ、クォドラップルバッグ等があり、また、分離方法も、血漿分割、余剰血漿分割等の様々な処理フローがある。このため、上述の２つの処理フローに限定されるものではない。
【００７９】
【発明の効果】
本願発明の液体分離装置（血液分離装置）及びその方法によれば、第１分離容器（血液バッグの親バッグ）の重量を測定することにより、分離により得られた赤血球製剤の量を測定できる。これにより、血液製剤として過不足があるかが、分離した時点で極めて容易に視認・判明することができる。
【００８０】
また、第１分離容器（親バッグ）内の液量についても規定量があり、これから外れる場合は、分離を行わない、もしくは通常と異なる分離を行う必要がある。この元々の第１分離容器は、柔軟性を有し、上層と下層に分離されている必要がある。そのため、秤に乗せて重量を測定する場合、上層と下層が混ざるという問題があり、上層と下層に分離する前に液量（血液量）を測定する必要があるが、本分離装置によれば、分離装置で分離するときに、第１分離容器の液量を測定することができ、併せて表示することも可能にしているため、液量に過不足があった場合、、看護師等の医療従事者が極めて容易に視認・判別ができ、その液量に適した分離方法に分離装置が自動で変更することができる。
【００８１】
また、遠心分離された第１分離容器（親バッグ）を液体分離装置（血液分離装置）にセットすれば、分離、接続チューブのシールまでの工程を全て自動で行うことができ、作業効率が各段に向上する。
【図面の簡単な説明】
【図１】本発明の液体分離装置の一例を示す外観斜視図である。
【図２】本発明の液体分離装置のブロック図である。
【図３】本発明の液体分離装置の一例を示す要部断面図である。
【図４】本発明の液体分離装置の加圧機構を示す図である。
【図５】本発明の液体分離装置の一例を示す外観斜視図である。
【図６】本発明の液体分離装置のフローチャートである。
【図７】本発明の液体分離装置の重量センサの詳細を示す図である。
【図８】本発明の他の液体分離装置のブロック図である。
【図９】図８に示す液体分離装置のフローチャートである。
【符号の説明】
２…バッグ、２ａ…親バッグ、２ｂ，２ｃ，２ｄ…子バッグ、２０…液体分離装置、２１…第１容器保持部、２３Ａ…第２容器保持部、３６，３７，３８，３９…開閉部、１００，１０１，１０２…重量測定部、４５…液晶ディスプレイ、７０…シール駆動回路、７０１…第１シール部、７０２…第２シール部、７０３…第３シール部、７０４…第４シール部
【図１】
2004000503.tif 000003
【図２】
2004000503.tif 000004
【図３】
2004000503.tif 000005
【図４】
2004000503.tif 000006
【図５】
2004000503.tif 000007
【図６】
2004000503.tif 000008
【図７】
2004000503.tif 000009
【図８】
2004000503.tif 000010
【図９】
2004000503.tif 000011
【手続補正書】
【提出日】平成15年7月29日(2003.7.29)
【手続補正１】
【補正対象書類名】明細書
【補正対象項目名】特許請求の範囲
【補正方法】変更
【補正の内容】
【特許請求の範囲】
【請求項１】
液体取出管が設けられ柔軟性を有するとともに、上方の層と下方の層に予め分離された液体を収容した第１の容器を保持しうる第１容器保持部と、該第１容器保持部に前記液体取出管が上方に位置して保持された前記第１の容器を加圧して前記容器内の上方の層の液体を前記液体取出管を介して押し出す容器加圧部と、該容器加圧部により前記容器の液体取出管から押し出された液体が通路を介して収容されうる柔軟性を有する第２の容器を保持しうる第２容器保持部と、前記通路を開閉する開閉部と、前記第１の容器内の分離された液体の界面を検出する界面検出部と、前記第１の容器に収容される液体重量を測定する第１の液体重量測定部と、前記第２の容器に収容される液体重量を測定する第２の液体重量測定部と、該界面検出部によって検出された検出信号、該第１の液体重量測定部、該第２の液体重量測定部によって測定された測定信号、及び予め入力されているプログラムに基づき前記容器加圧部及び開閉部を操作する操作信号を演算出力する演算制御部、表示部とを備え、該演算制御部により出力された操作信号によって容器加圧部及び開閉部を操作して、血漿層を前記第１の容器から前記第２の容器に分離することを自動的に行なうようにした液体分離装置であって、該第１の容器の血液成分の重量を測定し、該重量を該表示部に表示するようにしたことを特徴とする液体分離装置。
【請求項２】
前記第１の容器に対する界面設定位置を設定するための界面設定部、及び前記第２の容器の風袋重量及び第２容器に収容すべき設定液体重量を設定するための液体重量設定部、設定された界面設定位置、風袋重量及び設定液体重量を記憶し、この記憶データを書換え読出しできるとともに不揮発性の記憶部とをさらに備え、前記演算制御部は、上記記憶部が記憶している界面設定位置及び設定液体重量のデータと、前記界面検出部の検出結果と、前記液体重量測定部の測定結果とに基づき、該界面検出部の検出界面が界面設定位置に達したこと及び／又は該液体重量測定部の測定結果が設定液体重量に達したことを認識して、前記開閉部を閉止させる請求項１記載の液体分離装置。
【請求項３】
前記第１の容器に対する界面設定位置を設定するための界面設定部により記憶された記憶データ、前記第１の容器に収容すべき第１の設定液体重量を設定するための第１の液体重量設定部により記憶され記憶データ、前記第２の容器に収容すべき第２の設定液体重量を設定するための第２の液体重量設定部により記憶された記憶データ及び該第１及び第２の設定液体重量を記憶し、これらの記憶データを書換え読出しできるとともに不揮発性の記憶部とをさらに備え、前記界面検出部は、その界面検出位置を前記第１の容器に対する特定位置に調整できる機能を備えており、前記演算制御部は、上記界面設定部の設定結果を得て、該界面検出部の界面検出位置を上記界面設定位置に定め、その後、該界面検出部の検出結果と、前記液体重量測定部の測定結果と、上記記憶部が記憶している前記第１及び第２の設定液体重量のデータとを得て、第１の容器内の界面が界面設定位置に達し、及び／又は該第１の液体重量測定部の測定結果が前記第１の設定液体重量に達したことを認識して、前記開閉部を閉止させる請求項１記載の液体分離装置。
【請求項４】
前記界面設定部にて設定された界面設定位置を記憶し、この記憶データを書換え読出しできるとともに不揮発性の記憶部を更に備え、前記演算制御部は、上記記憶部が記憶している界面設定位置のデータを得て該界面検出部の界面検出位置を上記界面設定位置に定める請求項２記載の液体分離装置。
【請求項５】
液体取出管が設けられ柔軟性を有するとともに、上方の層と下方の層に予め分離された液体を収容した第１の容器を保持しうる第１容器保持部と、該第１容器保持部に前記液体取出管が上方に位置して保持された前記第１の容器を加圧して前記容器内の上方の層の液体を前記液体取出管を介して押し出す容器加圧部と、該容器加圧部により前記容器の液体取出管から押し出された液体が通路を介して収容されうる柔軟性を有する第２の容器を保持しうる第２容器保持部と、前記通路を開閉する開閉部と、前記第１の容器内の分離された液体の界面を検出する界面検出部と、前記第１の容器に収容される液体重量を測定する第１の液体重量測定部と、前記第２の容器に収容される液体重量を測定する第２の液体重量測定部と、該界面検出部によって検出された検出信号、該第１の液体重量測定部、該第２の液体重量測定部によって測定された測定信号、及び予め入力されているプログラムに基づき前記容器加圧部及び開閉部を操作する操作信号を演算出力する演算制御部と、チューブシール部と、表示部とを備え、該演算制御部により出力された操作信号によって容器加圧部及び開閉部を操作して、血漿層を前記第１の容器から前記第２の容器に分離することを自動的に行ない、自動分離後は、初期設定としてシール設定が入力されていることを条件に該チューブシール部により自動的にチューブをシールするようにした液体分離装置であって、該第１の容器の血液成分の重量を測定し、該重量を該表示部に表示するようにしたことを特徴とする液体分離装置。
【請求項６】
音声発生部及び／又はアラーム発生部を備え、全ての処理が完了した後、音声発生及び／又はアラーム発生により報知するようにしたことを特徴とする請求項１ないし５のいずれかに記載の液体分離装置。
【請求項７】
第１の容器内の分離された液体の界面を検出する界面検出部によって検出された検出信号、前記第１の容器に収容される液体重量を測定する第１の液体重量測定部によって測定された測定信号、第２の容器に収容される液体重量を測定する第２の液体重量測定部によって測定された測定信号、及び予め入力されているプログラムに基づき容器加圧部及び開閉部を操作しながら、液体取出管が設けられ柔軟性を有するとともに、上方の層と下方の層に予め分離された液体を収容した第１の容器を第１容器保持部に前記液体取出管が上方に位置して保持した状態で容器加圧部により前記第１の容器を加圧し、前記容器内の上方の層の液体を前記液体取出管を介して第２容器保持部に保持された柔軟性を有する第２の容器に押し出すことにより血漿層を前記第１の容器から前記第２の容器に分離することを自動的に行なうようにした液体分離方法であって、該第１の容器の血液成分の重量を測定し、該重量を該表示部に表示するようにしたことを特徴とする液体分離装置。
【請求項８】
第１の容器内の分離された液体の界面を検出する界面検出部によって検出された検出信号、前記第１の容器に収容される液体重量を測定する第１の液体重量測定部によって測定された測定信号、第２の容器に収容される液体重量を測定する第２の液体重量測定部によって測定された測定信号、及び予め入力されているプログラムに基づき容器加圧部及び開閉部を操作しながら、液体取出管が設けられ柔軟性を有するとともに、上方の層と下方の層に予め分離された液体を収容した第１の容器を第１容器保持部に前記液体取出管が上方に位置して保持した状態で容器加圧部により前記第１の容器を加圧し、前記容器内の上方の層の液体を前記液体取出管を介して第２容器保持部に保持された柔軟性を有する第２の容器に押し出すことにより液体分離を自動的に行なった後、初期設定としてシール設定が入力されていることを条件に、チューブシール部によりチューブを自動的にシールするようにした血漿層を前記第１の容器から前記第２の容器に分離することを自動的に行なう液体分離方法であって、該第１の容器の血液成分の重量を測定し、該．重量を該表示部に表示するようにしたことを特徴とする液体分離装置。
【手続補正２】
【補正対象書類名】明細書
【補正対象項目名】０００４
【補正方法】変更
【補正の内容】
【０００４】
【課題を解決するための手段】
本発明は、液体取出管が設けられ柔軟性を有するとともに、上方の層と下方の層に予め分離された液体を収容した第１の容器を保持しうる第１容器保持部と、該第１容器保持部に前記液体取出管が上方に位置して保持された前記第１の容器を加圧して前記容器内の上方の層の液体を前記液体取出管を介して押し出す容器加圧部と、該容器加圧部により前記容器の液体取出管から押し出された液体が通路を介して収容されうる柔軟性を有する第２の容器を保持しうる第２容器保持部と、前記通路を開閉する開閉部と、前記第１の容器内の分離された液体の界面を検出する界面検出部と、前記第１の容器に収容される液体重量を測定する第１の液体重量測定部と、前記第２の容器に収容される液体重量を測定する第２の液体重量測定部と、該界面検出部によって検出された検出信号、該第１の液体重量測定部、該第２の液体重量測定部によって測定された測定信号、及び予め入力されているプログラムに基づき前記容器加圧部及び開閉部を操作する操作信号を演算出力する演算制御部、表示部とを備え、該演算制御部により出力された操作信号によって容器加圧部及び開閉部を操作して、血漿層を第１の容器から第２の容器に分離することを自動的に行なうようにした液体分離装置であって、第１の容器の血液成分の重量を測定し、その重量を該表示部に表示するようにしたことを特徴とする液体分離装置（血液自動分離装置）である。


【手続補正３】
【補正対象書類名】明細書
【補正対象項目名】０００６
【補正方法】変更
【補正の内容】
【０００６】
本発明は、また、第１の容器に対する界面設定位置を設定するための界面設定部により記憶された記憶データ、第１の容器に収容すべき第１の設定液体重量を設定するための第１の液体重量設定部により記憶され記憶データ、第２の容器に収容すべき第２の設定液体重量を設定するための第２の液体重量設定部により記憶された記憶データ及び第１及び第２の設定液体重量を記憶し、これらの記憶データを書換え読出しできるとともに不揮発性の記憶部とをさらに備え、界面検出部は、その界面検出位置を前記第１の容器に対する特定位置に調整できる機能を備えており、演算制御部は、界面設定部の設定結果を得て、界面検出部の界面検出位置を界面設定位置に定め、その後、界面検出部の検出結果と、液体重量測定部の測定結果と、記憶部が記憶している第１及び第２の設定液体重量のデータとを得て、第１の容器内の界面が界面設定位置に達し、及び／又は第１の液体重量測定部の測定結果が第１の設定液体重量に達したことを認識して、開閉部を閉止させる液体分離装置である。本発明は、また、界面設定部にて設定された界面設定位置を記憶し、この記憶データを書換え読出しできるとともに不揮発性の記憶部をさらに備え、演算制御部は、記憶部が記憶している界面設定位置のデータを得て界面検出部の界面検出位置を界面設定位置に定める液体分離装置（血液自動分離装置）である。本発明は、また、液体取出管が設けられ柔軟性を有するとともに、上方の層と下方の層に予め分離された液体を収容した第１の容器を保持しうる第１容器保持部と、第１容器保持部に液体取出管が上方に位置して保持された第１の容器を加圧して容器内の上方の層の液体を液体取出管を介して押し出す容器加圧部と、容器加圧部により容器の液体取出管から押し出された液体が通路を介して収容されうる柔軟性を有する第２の容器を保持しうる第２容器保持部と、通路を開閉する開閉部と、第１の容器内の分離された液体の界面を検出する界面検出部と、第１の容器に収容される液体重量を測定する第１の液体重量測定部と、第２の容器に収容される液体重量を測定する第２の液体重量測定部と、界面検出部によって検出された検出信号、第１の液体重量測定部、第２の液体重量測定部によって測定された測定信号、及び予め入力されているプログラムに基づき容器加圧部及び開閉部を操作する操作信号を演算出力する演算制御部と、チューブシール部と、表示部とを備え、演算制御部により出力された操作信号によって容器加圧部及び開閉部を操作して、血漿層を第１の容器から第２の容器に分離することを自動的に行ない、自動分離後は、初期設定としてシール設定が入力されていることを条件にチューブシール部により自動的にチューブをシールするようにした液体分離装置であって、第１の容器の血液成分の重量を測定し、その重量を該表示部に表示するようにしたことを特徴とする液体分離装置。
【手続補正４】
【補正対象書類名】明細書
【補正対象項目名】０００７
【補正方法】変更
【補正の内容】
【０００７】
本発明は、また、第１の容器内の分離された液体の界面を検出する界面検出部によって検出された検出信号、第１の容器に収容される液体重量を測定する第１の液体重量測定部によって測定された測定信号、第２の容器に収容される液体重量を測定する第２の液体重量測定部によって測定された測定信号、及び予め入力されているプログラムに基づき容器加圧部及び開閉部を操作しながら、液体取出管が設けられ柔軟性を有するとともに、上方の層と下方の層に予め分離された液体を収容した第１の容器を第１容器保持部に液体取出管が上方に位置して保持した状態で容器加圧部により第１の容器を加圧し、容器内の上方の層の液体を液体取出管を介して第２容器保持部に保持された柔軟性を有する第２の容器に押し出すことにより血漿層を第１の容器から第２の容器に分離することを自動的に行なうようにした液体分離方法であって、該第１の容器の血液成分の重量を測定し、その重量を該表示部に表示するようにしたことを特徴とする液体分離方法である。本発明は、また、第１の容器内の分離された液体の界面を検出する界面検出部によって検出された検出信号、第１の容器に収容される液体重量を測定する第１の液体重量測定部によって測定された測定信号、第２の容器に収容される液体重量を測定する第２の液体重量測定部によって測定された測定信号、及び予め入力されているプログラムに基づき容器加圧部及び開閉部を操作しながら、液体取出管が設けられ柔軟性を有するとともに、上方の層と下方の層に予め分離された液体を収容した第１の容器を第１容器保持部に液体取出管が上方に位置して保持した状態で容器加圧部により第１の容器を加圧し、容器内の上方の層の液体を前記液体取出管を介して第２容器保持部に保持された柔軟性を有する第２の容器に押し出すことにより液体分離を自動的に行なった後、初期設定としてシール設定が入力されていることを条件に、チューブシール部によりチューブを自動的にシールするようにした血漿層を第１の容器から第２の容器に分離することを自動的に行なう液体分離方法であって、第１の容器の血液成分の重量を測定し、その重量を該表示部に表示するようにしたことを特徴とする液体分離方法（血液自動分離方法）である。
以上